(57)【要約】【課題】施工性に優れ、また、施工後に開閉可能な防鳥ネットの施工方法の提供【解決手段】例えば、構造体１ａ、１ｂにアンカーボルト３ａ、３ｂを打ち込み、これらにワイヤ４を接続、固定する。そして、このワイヤ４に防鳥ネット６を移動自在に取り付け、防鳥ネット６をワイヤ４に沿ってスライドさせることによって、防鳥ネット６を施工予定現場２に設置することができる。【選択図】  図１
2010094055.tif 000002
【特許請求の範囲】
【請求項１】
構造体に固定されたワイヤに防鳥ネットを移動自在に取り付けることを特徴とする防鳥ネットの施工方法。
【請求項２】
ワイヤ貫通孔を有する筒状部と、筒状部の両端に設けられた一対の鍔部と、鍔部に設けられた凹部とを有する係止本体、および、軸方向にスリットを有する筒状外装体を備える防鳥ネット取付用係止部材を用いて、ワイヤに防鳥ネットを取り付けることを特徴とする請求項１に記載の防鳥ネットの施工方法。
【請求項３】
係止本体のワイヤ貫通孔にワイヤを通すことにより、複数の係止本体をワイヤに移動自在に取り付けた後、防鳥ネットの一部を鍔部の凹部に通した状態で外筒を係止本体の筒状部に順次嵌め込むことにより、防鳥ネットをワイヤに取り付けることを特徴とする請求項２に記載の防鳥ネットの施工方法。
【請求項４】
ワイヤの一端で防鳥ネットの複数箇所をワイヤに取り付けた後、防鳥ネットをスライドさせて施工することを特徴とする請求項１から３までのいずれかに記載の防鳥ネットの施工方法。
【請求項５】
ワイヤに防鳥ネットを移動自在に取り付けるための係止部材であって、ワイヤ貫通孔を有する筒状部と、筒状部の両端に設けられた一対の鍔部と、鍔部に設けられた凹部とを有する係止本体、および、軸方向にスリットを有する筒状外装体を備える防鳥ネット取付用係止部材。
【発明の詳細な説明】
【技術分野】
【０００１】
本発明は、鳩、カラス等の鳥類の飛来を防止し、糞害や巣作りによる建物等の汚染、損傷を防止するのに用いる防鳥ネットの施工方法および防鳥ネットをワイヤに取り付けるための係止部材に関する。
【背景技術】
【０００２】
競馬場、競輪場、野球場、陸上競技場等の各種スタジアム、神社、駅、道路や線路の高架下、マンション、工場、倉庫等において、鳥類の飛来に伴う様々な被害（以下、「鳥害」という。）が近年大きな問題になっている。鳥害対策としては、人型のカカシ、ワシ型の疑似鳥、目玉、反射板などの視覚的なおどしを用いた方法、爆発音などの聴覚的なおどしを用いた方法、防鳥ネットを使用する方法、複数の針を使用する方法、忌避剤を用いる方法、電気ショックを利用する方法などがある。
【０００３】
それぞれの対策は、用途に応じて様々な場所で用いられている。例えば、防鳥ネットを使用する方法では、確実に施工すれば、鳥類の飛来をほぼ確実に防止できる。
【発明の開示】
【発明が解決しようとする課題】
【０００４】
このように防鳥ネットは、鳥類の飛来を防止するには効果があるが、例えば、一部分にしか足場が届かない場合、池の上に防鳥ネットを施工する場合などには、取り付けが困難となり、また、駐車場などのようにロックウールを吹き付けてある現場では、そもそも、取り付け治具の設置箇所が制限されることもある。また、取り外しができないか、取り外しが容易でない場合には、積雪地域で用いる場合に、冬場、防鳥ネットに雪が堆積するという問題がある。また、万が一、鳩などが侵入した場合には、鳩を外に出すのが困難となる。また、通常、マンション、ビルなどの外壁は、将来的に改修工事を行う予定があるため、改修工事の度に取り外しを行う必要が生じる。このように、防鳥ネットを固定することを前提とした施工方法では、種々の問題点がある。
【０００５】
本発明者は、このような問題を解決するために鋭意研究を行い、防鳥ネットの施工予定箇所に予めワイヤを張り巡らせた後、このワイヤに防鳥ネットを取り付け、これをスライドさせて防鳥ネットを施工する方法を見出した。また、本発明者らの研究により、防鳥ネットの網の間、すなわち、単線で囲まれた空間部にワイヤを通す方法も考えられるが、この場合には、開閉するときに、引っ掛かることがあるため、防鳥ネットをスライド可能な状態でワイヤに取り付ける係止部材が望まれる。本発明者は、このような観点で鋭意研究を重ねた結果、防鳥ネットとワイヤとを係止するのに適した係止部材を見出し、本発明を完成させた。
【０００６】
本発明は、上記の従来技術の問題点を解決するためになされたものであり、施工性に優れ、また、施工後に開閉可能な防鳥ネットの施工方法、および、防鳥ネットをワイヤに移動自在に取り付けるのに適した係止部材を提供することを目的とする。
【課題を解決するための手段】
【０００７】
本発明は、上記の課題を解決するためになされたものであり、下記の（１）〜（４）に示す防鳥ネットの施工方法、および、下記の（５）に示す防鳥ネット取付用係止部材を用紙とする。
【０００８】
（１）構造体に固定されたワイヤに防鳥ネットを移動自在に取り付ける防鳥ネットの施工方法。
【０００９】
（２）ワイヤ貫通孔を有する筒状部と、筒状部の両端に設けられた一対の鍔部と、鍔部に設けられた凹部とを有する係止本体、および、軸方向にスリットを有する筒状外装体を備える防鳥ネット取付用係止部材を用いて、ワイヤに防鳥ネットを取り付ける上記（１）の防鳥ネットの施工方法。
【００１０】
（３）係止本体のワイヤ貫通孔にワイヤを通すことにより、複数の係止本体をワイヤに移動自在に取り付けた後、防鳥ネットの一部を鍔部の凹部に通した状態で外筒を係止本体の筒状部に順次嵌め込むことにより、防鳥ネットをワイヤに取り付ける上記（２）の防鳥ネットの施工方法。
【００１１】
（４）ワイヤの一端で防鳥ネットの複数箇所をワイヤに取り付けた後、防鳥ネットをスライドさせて施工する上記（１）〜（３）いずれかの防鳥ネットの施工方法。
【００１２】
（５）ワイヤに防鳥ネットを移動自在に取り付けるための係止部材であって、ワイヤ貫通孔を有する筒状部と、筒状部の両端に設けられた一対の鍔部と、鍔部に設けられた凹部とを有する係止本体、および、軸方向にスリットを有する筒状外装体を備える防鳥ネット取付用係止部材。
【発明の効果】
【００１３】
本発明によれば、防鳥ネットの施工時または施工後に防鳥ネットの開閉ができる。従って、例えば、池の上に防鳥ネットを施工する場合など足場を確保するのが困難な施工現場においても容易に防鳥ネットを施工することができる。また、駐車場などのようにロックウールが吹き付けられた現場においても、ワイヤを取り付けることができる箇所が一部でも見つかれば、防鳥ネットを施工することができる。また、自動車や人が頻繁に通る場所でも、通行を制限することなく防鳥ネットを施工することができる。果樹園、養鶏場などの施工場所が広範囲にわたる場合でも、防鳥ネットの施工を容易に、かつスピーディに行うことができる。また、建物と建物との間に防鳥ネットを施工することもできる。
【００１４】
また、本発明によれば、施工後においても防鳥ネットの開閉ができ、不使用時には収納しておくことができる。従って、例えば、積雪地域で使用した場合には、冬場、雪の堆積を防止することができること、強風、暴風雨時に予め収納しておくことができること、マンションその他の外壁の改修工事を実施する場合にも容易に収納できること、万が一、鳩が防鳥ネット内に侵入した場合でも、容易に外に逃がすことができること、など様々なメリットがある。
【発明を実施するための最良の形態】
【００１５】
以下、図を使って、本発明の実施形態を説明する。
【００１６】
図１は、本発明の実施形態を示す図であり、（ａ）は防鳥ネットの施工前の状態、（ｂ）はワイヤを取り付けた状態、（ｃ）は防鳥ネットをワイヤに取り付けた状態、（ｄ）は防鳥ネットを施工した状態をそれぞれ示している。
【００１７】
ここでは、本発明の実施形態の一つとして、図１（ａ）に示すように、二つの構造体１ａ、１ｂに囲まれた施工予定現場２に防鳥ネットを施工する場合について説明する。このような施工予定現場としては、例えば、アパートなどの建物に囲まれた屋外駐車場、マンションの吹き抜け部分などが考えられる。また、周辺に構造体がない場合には、ポールなどのワイヤの固定箇所を設置すればよい。また、設置位置としては、このような場所に限られることなく、ベランダ、果樹園、養鶏場、駐車場など、ワイヤを固定できる壁面その他の構造体がある場所であれば、いずれの場所でもよい。
【００１８】
本発明の防鳥ネットの施工方法では、例えば、図１（ｂ）に示すように、まず、構造体１ａ、１ｂにアンカーボルト３ａ、３ｂを打ち込み、これらにワイヤ４を接続、固定する。そして、図１（ｃ）に示すように、このワイヤ４に防鳥ネット６を移動自在に取り付け、図１（ｄ）に示すように、防鳥ネット６をワイヤ４に沿ってスライドさせることによって、防鳥ネット６を施工予定現場２に設置することができる。
【００１９】
ここで、防鳥ネットをワイヤに取り付ける方法としては、防鳥ネットの単線で囲まれた空間部にワイヤを通す方法も考えられるが、この場合には、開閉時に引っ掛かり、スライドが困難になることがある。従って、防鳥ネットをスライド可能な状態でワイヤに取り付けるためのを用いるのが好ましい。防鳥ネット取付用係止部材としては、ワイヤを通すための貫通孔を有し、かつ、ネットの一部を把持するとともに、ある程度の強度を有するものが望ましく、例えば、以下に示す構成のものを用いることができる。
【００２０】
図２は、本発明の防鳥ネットの施工方法に用いるのに適した防鳥ネット取付用係止部材の例を示す図であり、（ａ）は係止本体を、（ｂ）は筒状外装体を、（ｃ）は係止本体に筒状外装体を取り付けた状態をそれぞれ示している。また、図３は、図２に示す防鳥ネット取付用係止部材によって防鳥ネットをワイヤに取り付けた状態を示す図である。
【００２１】
図２（ａ）に示すように、係止本体５０は、ワイヤ貫通孔５０ａを有する筒状部５０ｂと、筒状部５０ｂの両端に設けられた一対の鍔部５０ｃと、鍔部５０ｃに設けられた凹部５０ｄとを有する。また、図２（ｂ）に示すように、筒状外装体５１は、軸方向にスリット５１ａを有する。図２（ｃ）に示すように、筒状外装体５１のスリット５１ａを係止本体５０の筒上部５０ｂに押し当てることで、筒状外装体５１と係止本体５０とが係合される。
【００２２】
そして、図３に示すように、まず、ワイヤ４が、係止本体５０のワイヤ貫通孔５０ａに通された状態で保持し、防鳥ネット６の単線６ａを係止本体５０の凹部５０ｄに引っ掛け、そのまま筒状外装体５１を係止本体５０の筒状部５０ｂに外装する。このとき、防鳥ネット６の単線６ａは、係止本体５０の筒状部５０ｂと筒状外装体５１に挟まれることによって把持される。また、筒状外装体５１は、係止本体５０の鍔部５０ｃにより、ワイヤ４の軸方向への移動が抑止されており、容易に取り外しできない。また、係止本体５０のワイヤ貫通孔５０には十分な空間が設けられているため、防鳥ネット取付用係止部材５は、ワイヤ４上を移動自在となり、従って、防鳥ネット取付用係止部材５に取り付けられた防鳥ネット６をワイヤ４に移動自在に取り付けることができる。
【００２３】
ここで、防鳥ネット取付用係止部材の材質については、特に制約はないが、十分な強度を有し、安価で、加工が容易であることから、ＡＢＳ樹脂（アクリロニトリル・ブタジエン・スチレン共重合合成樹脂）を用いるのが好ましい。また、ワイヤ貫通孔５０ａの内径は、ワイヤ４の外径より十分に大きい、即ち、ワイヤの外径より２ｍｍ程度大きいものであればよく、例えば、３ｍｍのワイヤを用いる場合には、５ｍｍ程度とすればよい。
【００２４】
なお、防鳥ネット取付用係止部材５の防鳥ネット６への取り付けピッチは、短すぎるとコストアップに繋がり、長すぎると、ネットの垂れの原因になるため、４００〜１０００ｍｍの間隔とするのがよい。また、図に示す例は、防鳥ネット６の単線６ａを係止本体５０の凹部５０ｄに引っ掛けた状態で把持する構成の防鳥ネット取付用係止部材５が記載されているが、これは、凹部５０ｄがなければ、筒状外装体５１と係止本体５０の鍔部５０ｃとの間で挟まれ、切れやすくなるからである。防鳥ネット取付用係止部材５に防鳥ネット６の単線６ａを１本だけ取り付けても良いが、切れた場合を考慮し、２本以上取り付けるのが好ましい。
【００２５】
図に示す例では、係止本体５０と筒状外装体５１とを別々の部材で構成しているが、このような構成に限られることなく、これらの部材を一体で構成することもできる。また、係止本体５０の軸方向に切れ目を入れておき、軸方向に垂直な断面が略Ｃ字状の二つの部材で構成することもできる。このような構成にしておけば、ワイヤ４を設置した後でも、防鳥ネット取付用係止部材５をワイヤに取り付けることができる。
【００２６】
ここで、本発明のより好ましい実施形態においては、まず、係止本体５０のワイヤ貫通孔５０ａにワイヤ４を通すことにより、複数の係止本体５０をワイヤ４に移動自在に取り付けた後、例えば、図１（ｂ）に示すように、これらをワイヤ４の一端にまとめておく。そして、図１（ｃ）に示すように、ワイヤ４の一端において、防鳥ネット６の一部を鍔部５０ｃの凹部５０ｄに通した状態で円筒状外装体５１を係止本体５０の筒状部５０ｂに順次嵌め込むことにより、複数の防鳥ネット取付用係止部材５０を介してワイヤ４および防鳥ネット６を取り付ける。そして、例えば、図１（ｄ）に示すように、防鳥ネット６をスライドさせ、ワイヤ４の他端に固定し、防鳥ネット６の施工が完了する。
【産業上の利用可能性】
【００２７】
本発明によれば、防鳥ネットの施工時または施工後に防鳥ネットの開閉ができる。従って、例えば、池の上に防鳥ネットを施工する場合など足場を確保するのが困難な施工現場においても容易に防鳥ネットを施工することができる。また、駐車場などのようにロックウールが吹き付けられた現場においても、ワイヤを取り付けることができる箇所が一部でも見つかれば、防鳥ネットを施工することができる。また、自動車や人が頻繁に通る場所でも、通行を制限することなく防鳥ネットを施工することができる。果樹園、養鶏場などの施工場所が広範囲にわたる場合でも、防鳥ネットの施工を容易に、かつスピーディに行うことができる。また、建物と建物との間に防鳥ネットを施工することもできる。
【図面の簡単な説明】
【００２８】
【図１】本発明の実施形態を示す図                                            （ａ）防鳥ネットの施工前の状態                                              （ｂ）ワイヤを取り付けた状態                                                （ｃ）防鳥ネットをワイヤに取り付けた状態                                    （ｄ）防鳥ネットを施工した状態
【図２】本発明の防鳥ネットの施工方法に用いるのに適した防鳥ネット取付用係止部材の例を示す図                                                              （ａ）係止本体                                                              （ｂ）筒状外装体                                                            （ｃ）係止本体に筒状外装体を取り付けた状態
【図３】図２に示す防鳥ネット取付用係止部材によって防鳥ネットをワイヤに取り付けた状態を示す図
【符号の説明】
【００２９】
１ａ、１ｂ  構造体
２  施工予定現場
３ａ、３ｂ  アンカーボルト
４  ワイヤ
５  防鳥ネット取付用係止部材
６  防鳥ネット
６ａ  単線
５０  係止本体
５０ａ  ワイヤ貫通孔
５０ｂ  筒状部
５０ｃ  鍔部
５０ｄ  凹部
５１  筒状外装体
５１ａ  スリット
【図１】
2010094055.tif 000003
【図２】
2010094055.tif 000004
【図３】
2010094055.tif 000005